(57)【要約】【課題】消費者が、つけまつ毛ケースからつけまつ毛を取り出さずとも、つけまつ毛ケースに収納されたつけまつ毛が必要か不要かの判断ができるつけまつ毛ケースを提供する。【解決手段】つけまつ毛ケースは複数のつけまつ毛（４）を収容するのに適し、ケース本体（２）と把手板（３）とを含む。ケース本体（２）は基部（２１）と蓋板（２２）を含む。蓋板（２２）は基部（２１）の上に配置され、基部（２１）と連結されており、両者の間に収容空間（２４）を規定する。基部（２１）と蓋板（２２）はそれぞれ透明領域（２１０、２２０）を有する。基部（２１）と蓋板（２２）の透明領域（２１０、２２０）は互いに位置が揃えられており、その間につけまつ毛（４）を配置できるようにしてある。把手板（３）はケース本体（２）に連結され、基部（２１）と蓋板（２２）の透明領域(２１０、２２０)からずらして配置される。【選択図】図２
2015204951.tif 000002
【特許請求の範囲】
【請求項１】
複数のつけまつ毛（４）を収容するのに適したつけまつ毛ケースであって、
ケース本体（２）と把手板（３）とを有し、
前記ケース本体（２）は基部（２１）および蓋板（２２）を含み、前記蓋板（２２）は前記基部（２１）の上に配置され、前記基部（２１）と連結して両者の間に収容空間（２４）を規定し、前記基部（２１）と前記蓋板（２２）はそれぞれ透明領域（２１０、２２０）を有し、前記基部（２１）と前記蓋板（２２）の前記透明領域（２１０、２２０）は互いに位置が揃えられており、その間に前記つけまつ毛（４）を配置でき、
前記把手板（３）は前記ケース本体（２）に連結しており、前記基部（２１）と前記蓋板（２２）の前記透明領域（２１０、２２０）からずらして配置されることを特徴とした前記つけまつ毛ケース。
【請求項２】
請求項１に記載のつけまつ毛ケースであって、前記把手板（３）が透明でない素材により形成されることを特徴とするつけまつ毛ケース。
【請求項３】
請求項１または２のいずれかに記載のつけまつ毛ケースであって、
前記ケース本体（２）が前記把手板（３）をその上に保持する保持用側部（２３）を有し、前記蓋板（２２）はさらに裏面と保持用溝（２２１）を有し、前記保持用溝（２２１）は前記蓋板（２２）の前記裏面に形成され、拡大先端(２２１′)を有し、前記基部（２１）はさらに表面と保持用柱（２１１）を有し、前記保持用柱（２１１）は、前記基部（２１）の前記表面から垂直に延び、前記蓋板（２２）の前記保持用溝（２２１）の前記拡大先端（２２１′）中へと延びる拡大先端（２１１′）を有し、
前記把手板（３）は前記基部（２１）と前記蓋板（２２）の間の前記保持用柱（２１１）と前記保持用溝（２２１）に対応する部分で挟まれ、前記基部（２１）、前記蓋板（２２）、および前記把手板（３）は、力を加えて互いに取り外し可能であることを特徴とするつけまつ毛ケース。
【請求項４】
請求項１または２のいずれかに記載のつけまつ毛ケースであって、
前記蓋板（２２）は、２つの向かい合った直立側壁（２２′）および間隔を置いて配置された二つのフランジ（２２２）をさらに有し、各フランジ（２２２）はそれぞれ、前記側壁（２２′）の下端部から互いの方向に延び、前記基部（２１）とともに２本のガイド溝（２５）を規定し、各ガイド溝（２５）は前記基部（２１）と、対応する前記フランジ（２２２）の間に配置され、前記把手板（３）は、２つの向かい合った側面を有し、各側面は前記ガイド溝（２５）中に達してその中を移動可能であり、前記把手板（３）は、前記ガイド溝（２５）に沿って、前記基部（２１）と前記蓋板（２２）の透明領域（２１０、２２０）と位置が合うまで移動可能であり、これによりつけまつ毛ケースの長さが短くなることを特徴とするつけまつ毛ケース。
【請求項５】
請求項４に記載のつけまつ毛ケースであって、
前記把手板（３）は、前記ケース本体（２）の外側に配置された外側端部(３′)および前記外側端部(３′)の反対側にあり前記ガイド溝（２５）中を移動可能な内側端部（３″）を有し、前記外側端部(３′)は、直立止め壁（３４）が形成され、前記フランジ（２２２）に接するまで移動可能であり、これにより前記外側端部(３′)が前記ガイド溝（２５）に入り込むのが防がれ、前記内側端部（３″）は、前記各ガイド溝（２５）の端部（２５１）へと延び、前記各ガイド溝（２５）中をそれぞれ移動可能な２本の止め部材（３３）が形成され、前記各フランジ（２２２）には、対応する前記ガイド溝（２５）の前記端部（２５１）の位置に止め部材（２２４）が形成され、前記止め部材（２２４）は、前記把手板（３）の対応する前記止め部材（３３）と接するまで移動可能であり、これにより前記把手板（３）が前記ガイド溝（２５）の前記端部（２５１）を超えて前記ケース本体（２）から外れるのが防がれることを特徴としたつけまつ毛ケース。
【請求項６】
請求項１から５のいずれかに記載のつけまつ毛ケースであって、前記把手板（３）が半透明の素材により形成されたことを特徴としたつけまつ毛ケース。
【請求項７】
請求項１から５のいずれかに記載のつけまつ毛ケースであって、前記把手板（３）が不透明な素材により形成されたことを特徴としたつけまつ毛ケース。
【発明の詳細な説明】
【技術分野】
【０００１】
本発明は包装容器に関し、詳細には、複数のつけまつ毛を受ける透明部を備えたつけまつ毛ケースに関する。
【背景技術】
【０００２】
図１は複数のつけまつ毛１０を収容するのに用いられる従来のつけまつ毛ケース１を示す。つけまつ毛ケース１は、基部１１、透明カバー１２、およびつけまつ毛位置決めシート１３を含む。基部１１は不透明である。透明カバー１２は基部１１を覆うために用いられ、基部１１とともに収容空間１４を規定する。つけまつ毛１０は収容空間１４内に置かれ、つけまつ毛位置決めシート１３の上面に固定される。つけまつ毛位置決めシート１３の表面は、消費者がつけまつ毛１０の構造をはっきりと見ることができるように、通常は白色である。
【０００３】
つけまつ毛１０を選ぶ際、消費者や購買者は目視できる構造のみに基づいて決定を行うが、従来のつけまつ毛ケースでは問題が生じる。すなわち、選択したつけまつ毛１０を従来のつけまつ毛ケース１から取り出してまぶたに装着した際に、満足のいかないものである可能性がある。
【先行技術文献】
【特許文献】
【０００４】
【特許文献１】特開2008-296004号公報
【発明の概要】
【発明が解決しようとする課題】
【０００５】
本発明の目的は、消費者が、つけまつ毛ケースからつけまつ毛を取り出さずとも、つけまつ毛ケースに収納されたつけまつ毛が必要か不要かの判断ができるつけまつ毛ケースを提供することである。
【課題を解決するための手段】
【０００６】
本発明によるつけまつ毛ケースは、複数のつけまつ毛を収容するのに適し、ケース本体と把手板（handle plate）とを含む。ケース本体は基部と蓋板を含む。蓋板は基部の上に配置され、基部と連結されており、両者の間に収容空間を規定する。基部と蓋板はそれぞれ透明領域を有する。基部と蓋板の透明領域は互いに位置が揃えられており、その間につけまつ毛を配置できるようにしてある。把手板はケース本体に連結され、基部と蓋板の透明領域からずらして配置される。
【発明の効果】
【０００７】
これにより、利用者は鏡の前で、つけまつ毛ケースを、各つけまつ毛が利用者のまぶた付近となりまぶたに位置合わせされる箇所に来るように持ってゆくことができ、これによりつけまつ毛が必要か不要かを判断することができる。従って、つけまつ毛を選ぶ際に、つけまつ毛をケースから取り出す必要がない。
本発明の上記及びその他の特徴と効果については、以下図面を参照して行う、本発明の実施形態の詳細な説明において明らかとなる。
【図面の簡単な説明】
【０００８】
【図１】従来のつけまつ毛ケースの斜視図である。
【図２】本発明に係るつけまつ毛ケースの第１の実施形態の上面図である。
【図３】第１の実施形態の断面図であり、つけまつ毛ケースが鏡と購買者のまぶたとの間に配置されている様子を示す。
【図４】本発明に係るつけまつ毛ケースの第２の実施形態の上面図である。
【図５】第２の実施形態の断面図である。
【図６】第２の実施形態の背面図であり、購買者がつけまつ毛ケース中のつけまつ毛が自身の目に合うかどうか鏡で見ている様子を示す。
【発明を実施するための形態】
【０００９】
本発明を実施形態により詳細に説明するにあたり、同様の要素や構造は、本開示全体にわたって同様の参照符号で表すこととする。
【００１０】
図２、３は、本発明に係るつけまつ毛ケースの第１の実施形態を示す。このつけまつ毛ケースは、複数のつけまつ毛４を収容するために用いられ、ケース本体２と把手板３を含む。
【００１１】
ケース本体２は基部２１と蓋板２２を含む。蓋板２２は基部２１の上に配置され、基部２１と連結されており、両者の間に収容空間２４を規定する。基部２１と蓋板２２はそれぞれ透明領域２１０、２２０を有する。基部２１と蓋板２２の透明領域２１０、２２０は互いに位置が揃えられており、あわせてケース本体２の透明部２０を構成する。つけまつ毛４は、基部２１と蓋板２２の透明領域２１０、２２０の間の収容空間２４に、互いに間隔をおいて配置される。
【００１２】
把手板３は、ケース本体２に連結され、ケース本体２の透明部２０からずらして配置される。把手板３は透明でない素材により形成される。好ましくは、半透明のプラスチック素材により形成される。あるいは、把手板３は不透明のプラスチック素材または紙により形成される。必要に応じて、把手板３の表面または裏面に広告情報を印刷してもよい。
【００１３】
ケース本体２は、把手板３をその上に保持する保持用側部２３を有する。蓋板２２はさらに保持用溝２２１を有する。保持用溝２２１は蓋板２２の裏面に形成され、拡大先端２２１′を有する。基部２１は表面から垂直に延びた保持用柱２１１をさらに有する。保持用柱２１１は先端２１１′を有し、先端２１１′は、蓋板２２の保持用溝２２１の拡大先端２２１′中へと延びる。把手板３は基部２１と蓋板２２の間の保持用柱２１１と保持用溝２２１に対応する部分で挟まれる。このため、基部２１、蓋板２２および把手板３は、力を加えれば互いに取り外し可能である。こうして、つけまつ毛４を収容空間２３から容易に取り出すことができる。
【００１４】
購買者がつけまつ毛４を選ぶ際は、把手板３の把手部３１を片手で持ち、ケース本体２を鏡６と購買者のまぶた５(片方のみ図示している)の間の位置まで移動させる。この時、購買者は鏡６に映った姿から、つけまつ毛４が購買者の目に合うかどうか判断できる。こうして、購買者はケース本体２からつけまつ毛４を取り出すことなく、必要なつけまつ毛４を素早く選ぶことができる。
【００１５】
図４、５は、本発明に係るつけまつ毛ケースの第２の実施形態を示す。第２の実施形態は、第１の実施形態とは以下の点で異なる。
【００１６】
本実施形態では、蓋板２２は２つの向かい合った直立側壁２２′(図６参照)、および間隔を置いて配置された２つのフランジ２２２を有する。各フランジ２２２はそれぞれ、側壁２２′の下端部から互いの方向に延び、基部２１とともに２本のガイド溝２５を規定する。各ガイド溝２５は、基部２１と、対応するフランジ２２２との間に配置される。
【００１７】
把手板３は２つの向かい合った側面を有する。各側面はガイド溝２５中に達してその中を移動可能であり、これにより、把手板３が、基部２１の底面上で、図４、５、６に示す使用位置と格納位置との間を移動できるようになっている。使用位置では、把手板３は透明部２０からずれている。格納位置では、把手板３と透明部２０との位置が合わさる。把手板３を使用位置から格納位置へと動かすと、つけまつ毛ケースの長さが短くなる。
【００１８】
把手板３は、ケース本体２の外側に配置された外側端部３′(図６参照)、および外側端部３′の反対側にありガイド溝２５中を移動可能な内側端部３″(図６参照)を有する。外側端部３′には直立止め壁３４(図５参照)が形成されており、フランジ２２２に接するまで移動可能であり、これにより外側端部３′がガイド溝２５に入り込むのが防がれる。内側端部３″は各ガイド溝２５の端部２５１(図４参照)へと延び、２本の止め部材３３が形成されている。止め部材３３はそれぞれ、各ガイド溝２５に移動可能に配置される。
【００１９】
各フランジ２２２には止め部材２２４が形成される。止め部材２２４は、対応するガイド溝２５の端部２５１に配置され、把手板３の対応する止め部材３３と接するまで移動可能である。これによって、把手板３がガイド溝２５の端部２５１を超えてケース本体２から外れてしまうのを防ぐ。
【００２０】
特に図６を参照すると、購買者がつけまつ毛４が自分の目に合うかどうかを判断したいとき、鏡６の前に立って、把手板３が使用位置に配置されるように保持し、ケース本体２を自身のまぶた５に合う位置まで持ってくる。すると鏡６では、つけまつ毛４の像を購買者のまぶた５のすぐ上に位置させることができ、これにより、購買者はつけまつ毛４が必要かどうかを判断できる。
【００２１】
把手板３を格納位置に配置すると、店舗や輸送具内での占有空間を大きく減らすことができる。
【００２２】
以上、本発明を説明したが、本発明の範囲および趣旨から逸脱しない限りにおいて、各種の変更例又は修正例が可能であることは明らかである。従って、本発明は添付の特許請求の範囲のみによって示されるものである。
【図１】
2015204951.tif 000003
【図２】
2015204951.tif 000004
【図３】
2015204951.tif 000005
【図４】
2015204951.tif 000006
【図５】
2015204951.tif 000007
【図６】
2015204951.tif 000008
【外国語明細書】
2015204951000001.pdf